(57)【要約】【課題】摩擦によって熱変色性インキによる大きな筆跡を迅速に熱変色させることができる多芯式熱変色性筆記具を提供する。【解決手段】軸筒２内に複数の筆記体３を前後方向に移動可能に収容する。軸筒２の窓孔２２から操作体４の操作部４１を突出させる。軸筒２の前端孔２１から択一的にペン先３１を出没させる。筆記体３の内部に熱変色性インキを収容する。操作体４の操作部４１の外面に、前記熱変色性インキの筆跡を摩擦しその際に生じる摩擦熱で該筆跡を熱変色可能な、弾性材料からなる摩擦部７を設ける。【選択図】  図１
2010260219.tif 000002
【特許請求の範囲】
【請求項１】
軸筒内に複数の筆記体を前後方向に移動可能に収容し、前記各々の筆記体の内部に熱変色性インキを収容し且つ各々の筆記体の前端に前記熱変色インキが吐出可能なペン先を備え、前記各々の筆記体の後端に操作体を取り付け、前記各々の操作体を弾発体により後方に付勢し、前記軸筒の側壁に軸方向に延びる複数の窓孔を径方向に貫設し、前記各々の窓孔から径方向外方に前記各々の操作体の操作部を突出させ、一つの操作部を窓孔に沿って前方にスライドさせることにより、その一つの操作体が取り付けられた筆記体のペン先を軸筒の前端孔から突出させるとともに、先に突出状態にあった他の筆記体のペン先を軸筒内に没入させる多芯式熱変色性筆記具であって、前記操作体の操作部の外面に、前記熱変色性インキの筆跡を摩擦しその際に生じる摩擦熱で該筆跡を熱変色可能な、弾性材料からなる摩擦部を設けたことを特徴とする多芯式熱変色性筆記具。
【請求項２】
操作部と摩擦部とを別部材により構成し、操作体の操作部の外面に取付部を形成し、前記操作部の取付部に摩擦部の被取付部を係合させる請求項１記載の多芯式熱変色性筆記具。
【請求項３】
操作部と摩擦部とが弾性材料により一体に形成される請求項１記載の多芯式熱変色性筆記具。
【請求項４】
前記軸筒の後端に、前記各々の窓孔を後方に開口させる開閉自在の開口部を設け、前記開口部を介して筆記体及び操作体を連結状態で軸筒内から取り外し可能且つ軸筒内に挿入可能に構成した請求項１乃至３のいずれかに記載の多芯式熱変色性筆記具。
【発明の詳細な説明】
【技術分野】
【０００１】
本発明は、多芯式熱変色性筆記具に関する。
【背景技術】
【０００２】
文献１には、筆記用芯体の内部に熱変色性インキを収容し、前記筆記用芯体の前端に前記熱変色性インキが吐出可能なペン先を設け、摩擦用芯体の前端に、前記熱変色性インキの筆跡を摩擦しその際に生じる摩擦熱で該筆跡を熱変色可能なチップを設け、前記筆記用芯体のペン先と前記摩擦用芯体のチップを択一的に軸筒の前端孔から出没可能にする出没機構を備えた熱変色性筆記具が記載されている。
【０００３】
また、文献１には、前記筆記用芯体を後方に付勢する弾発体と、前記摩擦用芯体を後方に付勢する弾発体とを軸筒内に収容し、前記筆記用芯体の後端に操作体を連結し、前記摩擦用芯体の後端に操作体を連結し、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に対応した筆記用芯体のペン先または摩擦用芯体のチップを軸筒の前端孔から外部に突出させるとともに、先に突出状態にあった筆記用芯体のペン先または摩擦用芯体のチップを軸筒内に没入させてなる出没機構を備えた熱変色性筆記具が記載されている。
【先行技術文献】
【特許文献】
【０００４】
【特許文献１】特開２００８−２４７０２５号公報
【発明の概要】
【発明が解決しようとする課題】
【０００５】
前記従来の熱変色性筆記具の摩擦用芯体のチップでは、熱変色性インキによる筆跡が大きい場合、熱変色性インキによる筆跡を摩擦によって迅速に熱変色させることが困難である。
【０００６】
本発明は、前記従来の問題点を解決するものであって、熱変色性インキによる大きな筆跡を摩擦によって迅速に熱変色させることができる多芯式熱変色性筆記具を提供しようとするものである。尚、本発明で、「前」とはペン先側を指し、「後」とはその反対側を指す。
【課題を解決するための手段】
【０００７】
［１］本願の第１の発明は、軸筒２内に複数の筆記体３を前後方向に移動可能に収容し、前記各々の筆記体３の内部に熱変色性インキを収容し且つ各々の筆記体３の前端に前記熱変色インキが吐出可能なペン先３１を備え、前記各々の筆記体３の後端に操作体４を取り付け、前記各々の操作体４を弾発体６により後方に付勢し、前記軸筒２の側壁に軸方向に延びる複数の窓孔２２を径方向に貫設し、前記各々の窓孔２２から径方向外方に前記各々の操作体４の操作部４１を突出させ、一つの操作部４１を窓孔２２に沿って前方にスライドさせることにより、その一つの操作体４が取り付けられた筆記体３のペン先３１を軸筒２の前端孔２１から突出させるとともに、先に突出状態にあった他の筆記体３のペン先３１を軸筒２内に没入させる多芯式熱変色性筆記具であって、前記操作体４の操作部４１の外面に、前記熱変色性インキの筆跡を摩擦しその際に生じる摩擦熱で該筆跡を熱変色可能な、弾性材料からなる摩擦部７を設けたことを要件とする。
【０００８】
前記第１の発明の多芯式熱変色性筆記具１は、操作体４の操作部４１の外面に、熱変色性インキの筆跡を摩擦しその際に生じる摩擦熱で該筆跡を熱変色可能な摩擦部７を設けたことにより、摩擦部７を大きく形成でき、熱変色性インキによる大きな筆跡を摩擦部７の摩擦によって迅速に熱変色させることができる。尚、前記操作部４１の摩擦部７は、少なくともペン先没入時において窓孔２２を介して軸筒２の外面より外部に突出される。さらに、前記第１の発明の多芯式熱変色性筆記具１は、操作体４の外面に弾性材料からなる摩擦部７を設けたことにより、摩擦部７と指とが滑ることを防止でき且つ指に痛みを与えることがなく、操作部４１をスライド操作する際、操作部４１に力を加えやすいため、操作部４１の操作が容易となる。
【０００９】
［２］本願の第２の発明は、前記第１の発明の多芯式熱変色性筆記具１において、操作部４と摩擦部７とを別部材により構成し、操作体４の操作部４１の外面に取付部４１ａを形成し、前記操作部４１の取付部４１ａに摩擦部７の被取付部７１を係合させることを要件とする。
【００１０】
前記第２の発明の多芯式熱変色性筆記具１は、摩擦部７と操作部４１との強固な取り付けが可能となり、摩擦時に摩擦部７が操作部４１から外れることを防止できる。
【００１１】
［３］本願の第３の発明は、前記第１の発明の多芯式熱変色性筆記具１において、操作部体４１と摩擦部７とが弾性材料により一体に形成されることを要件とする。
【００１２】
前記第３の発明の多芯式熱変色性筆記具１は、摩擦部７と操作部４１が一体に形成されることによって、部品点数が減少し、安価に提供でき、且つ、摩擦時に摩擦部７が操作部４１から外れることがない。
【００１３】
［４］本願の第４の発明は、前記第１、第２または第３の発明の多芯式熱変色性筆記具１において、前記軸筒２の後端に、前記各々の窓孔２２を後方に開口させる開閉自在の開口部２３を設け、前記開口部２３を介して筆記体３及び操作体４を連結状態で軸筒２内から取り外し可能且つ軸筒２内に挿入可能に構成したことを要件とする。
【００１４】
前記第４の発明の多芯式熱変色性筆記具１は、操作体４の操作部４１を軸筒２後端の開口部２３から大きく突出させ、操作体４を直接把持して、操作部４１の摩擦部７による摩擦を行うことができ、摩擦操作が極めて容易となる。
【００１５】
・摩擦部
尚、本発明の摩擦部７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体４を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００１６】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１７】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１８】
本発明では、図５に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図５において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１９】
本発明では、前記熱変色性インキの摩擦部７の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦体４による摩擦熱で容易に変色することができる。
【発明の効果】
【００２０】
本発明の多芯式熱変色性筆記具は、摩擦によって熱変色性インキによる大きな筆跡を迅速に熱変色させることができる。
【図面の簡単な説明】
【００２１】
【図１】本発明の第１の実施の形態の開口部の閉鎖状態の縦断面図である。
【図２】図１の開口部の開口状態の側面図及び蓋部の縦断面図である。
【図３】本発明の第２の実施の形態の開口部の閉鎖状態の縦断面図である。
【図４】図３の開口部の開口状態の側面図及び蓋部の縦断面図である。
【図５】熱変色性インキの変色挙動を示す説明図である。
【発明を実施するための形態】
【００２２】
＜第１の実施の形態＞
本発明の第１の実施の形態を図１及び図２に示す。
本実施の形態の多芯式熱変色性筆記具１は、軸筒２内に複数本（具体的には２本）の筆記体３が前後方向に移動可能に収容されている。前記各々の筆記体３は、弾発体６（具体的には圧縮コイルスプリング）により、後方に付勢されている。
【００２３】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、筆記体３のペン先３１が突出可能な前端孔２１が軸方向に貫設される。前記前軸２ａ及び後軸２ｂは、合成樹脂（例えば、ポリカーボネイト等）の射出成形により得られる。
【００２４】
前記後軸２ｂの後部の側壁には、複数本（具体的には２本）の前後方向に延びる細長状の窓孔２２が、径方向に貫設される。前記２本の窓孔２２は、互いに、軸線に対して対称の位置に形成される。また、前記後軸２ｂの後端部には、軸方向に貫通し且つ径方向外方に開口する開口部２３が形成される。前記開口部２３は、後軸２ｂの後端（即ち軸筒２の後端）において窓孔２２と連通され、それにより、窓孔２２後端が後方に切り欠かれ後方に開口されている。前記開口部２３を通して、操作体４が取り付けられた状態の筆記体３を、軸筒２内に挿入可能且つ軸筒２内から取り出し可能に構成される。
【００２５】
また、前記後軸２ｂの窓孔２２の相互間の側壁内面には、前後方向に延びるリブよりなる係止壁部（図示せず）が形成され、前記係止壁部に、ペン先３１が突出した際の筆記体３の操作体４の後端が係止される。また、前記後軸２ｂの窓孔２２の相互間の側壁外面には、クリップ２５が設けられる。
【００２６】
（蓋部）
前記後軸２ｂの後端部には、前記開口部２３を開閉自在にする蓋部５が回動自在に設けられる。前記蓋部５の一端部は、クリップ２５基部に、ヒンジ部５１により回動自在に接続される。前記蓋部５は、略前後方向に回動自在となる。前記蓋部５の前面には、当接壁部５２が形成される。前記当接壁部５２に、ペン先没入状態の筆記体３の後端に連結された各々の操作体４の後端が当接される。尚、本発明において、前記当接壁部５２は、蓋部５の前面に形成される構成以外にも、軸筒２（後軸２ｂ）と一体に形成されてもよい。
【００２７】
前記蓋部５の他端部の前面には、凹部または孔部よりなる係合部５３が設けられる。後軸２ｂの後端には、前記係合部５３と係合可能な突部よりなる被係合部２４が設けられる。前記係合部５３の内面には、内向突起が形成され、一方、前記被係合部２４の外面には、前記内向突起と乗り越え係止可能な外向突起が形成される。
【００２８】
（筆記体）
前記各々の筆記体３は、ボールペンレフィルであり、前端にボールが回転可能に抱持されたボールペンチップ（即ちペン先３１）と、該ボールペンチップを前端に備え且つ後端が開口されたインキ収容管３２とからなる。前記インキ収容管３２の内部には、水性ゲルよりなる熱変色性インキと、インキの後端に配置され且つインキの消費に伴い前進する高粘度流体からなる追従体が充填される。
【００２９】
前記ボールペンチップは、前端に回転可能に抱持されたボールを弾発体等により前方に付勢し、前端縁部の内面にボールを密接させる構成が採用される。また、ボールペンチップは、インキ収容管３２の前端開口部に圧入等により直接、取り付けてもよいが、本実施の形態ではペン先ホルダーを介してインキ収容管３２の前端開口部に固着される。
【００３０】
（操作体）
前記各々の筆記体３の後端（即ちインキ収容管３２の後端開口部）には、操作体４が取り付けられる。前記各々の操作体４は、後端部に形成され且つ軸筒２の窓孔２２から外部に突出する操作部４１と、該操作部４１の反対側に設けられる後側突出部４３と、該操作部４１の反対側の後側突出部４３の前方に設けられる前側突出部４２と、前端部に形成され且つインキ収容管３２の後端開口部に嵌入される嵌入部４４と、該嵌入部４４の後方に形成される鍔部４５とを備える。また、前記鍔部４５の前面には、弾発体６の後端が係止される。また、前記操作体４の両方の側面には抜け止め突起４６が形成される。前記抜け止め突起４６は窓孔２２の両方の側壁内面に係合可能である。
【００３１】
前記各々の操作体４は、合成樹脂（例えば、ポリアセタール樹脂、ＡＢＳ樹脂等）の成形体からなる。前記各々の操作体４は、連結される筆記体３の内部（即ちインキ収容管３２内部）に収容されたインキの色と略同じ色に着色される。具体的には、前記操作体４の各々は、連結される筆記体３のインキ色と略同じ色に着色された合成樹脂の成形体からなる。
【００３２】
（摩擦部）
前記操作体４の操作部４１の外面には取付部４１ａ（具体的には取付凸部）が一体に形成される。前記取付部４１ａが、摩擦部７の被取付部７１（具体的には取付凹部）に圧入固着される。それにより、摩擦部７が操作部４１の外面に固定される。前記摩擦部７は、弾性材料からなる。前記摩擦部７は、径方向外方に向かうに従い外径が小さくなる凸曲面状の表面を備える。前記摩擦部７は、交換可能なように、操作部４１外面と着脱自在とすることもできる。また、前記摩擦部７を備えた操作体４は、開口部２３より交換可能である。また、操作体４とインキ収容管３２とを着脱自在とすることにより、操作体４のみが交換可能となる。尚、本発明において、前記取付部４１ａが取付凹部であり且つ前記被取付部７１が取付凸部である構成であってもよい。
【００３３】
筆記体３のペン先３１が没入状態のとき、その筆記体３に取り付けられた操作体４の後端部は、蓋部５の前面に形成された当接壁部５２に当接される。一方、筆記体３のペン先３１が突出状態のとき、その筆記体３に取り付けられた操作体４の後端部は、軸筒２の内壁に形成された係止壁部に係止される。
【００３４】
ペン先没入状態にある筆記体３の後端に連結された操作体４の前側突出部４２は、その操作体４の操作部４１を前方にスライド操作した際、先にペン先突出状態にある他の筆記体３の後端に連結された操作体４の後側突出部４３と当接され、他の筆記体３のペン先突出状態が解除される。
【００３５】
本実施の形態の多芯式熱変色性筆記具１は、操作部４１の外面に、熱変色性インキの筆跡を摩擦しその際に生じる摩擦熱で該筆跡を熱変色可能な摩擦部７を設けたことにより、摩擦部７を大きく形成でき、熱変色性インキによる大きな筆跡を摩擦部７の摩擦によって迅速に熱変色させることができる。さらに、本実施の形態の多芯式熱変色性筆記具１は、操作体４の外面に弾性材料からなる摩擦部７を設けたことにより、摩擦部７と指とが滑ることを防止でき且つ指に痛みを与えることがなく、操作部４１をスライド操作する際、操作部４１に力を加えやすいため、操作部４１の操作が容易となる。
【００３６】
本実施の形態の多芯式熱変色性筆記具１は、操作体４の操作部４１に取付部４１ａを形成し、前記操作部４１の取付部４１ａに摩擦部７の被取付部７１を係合させることによって、摩擦部７と操作部４１との強固な取り付けが可能となり、摩擦時に摩擦部７が操作部４１から外れることを防止できる。
【００３７】
本実施の形態の多芯式熱変色性筆記具１は、軸筒２の後端に、前記各々の窓孔２２を後方に開口させる開閉自在の開口部２３を設け、前記開口部２３を介して筆記体３及び操作体４を連結状態で軸筒２内から取り外し可能且つ軸筒２内に挿入可能に構成したことにより、操作体４の操作部４１を軸筒２後端の開口部２３から大きく突出させ、操作体４を直接把持して、操作部４１の摩擦部７による摩擦を行うことができ、摩擦操作が極めて容易となる。
【００３８】
＜第２の実施の形態＞
本発明の第２の実施の形態を図３及び図４に示す。
本実施の形態の多芯式熱変色性筆記具１は、軸筒２内に複数本（具体的には２本）の筆記体３が前後方向に移動可能に収容されている。前記各々の筆記体３は、弾発体６（具体的には圧縮コイルスプリング）により、後方に付勢されている。
【００３９】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、筆記体３のペン先３１が突出可能な前端孔２１が軸方向に貫設される。前記前軸２ａ及び後軸２ｂは、合成樹脂（例えば、ポリカーボネイト等）の射出成形により得られる。
【００４０】
前記後軸２ｂの後部の側壁には、複数本（具体的には２本）の前後方向に延びる細長状の窓孔２２が、径方向に貫設される。前記２本の窓孔２２は、互いに、軸線に対して対称の位置に形成される。また、前記後軸２ｂの後端部には、軸方向に貫通し且つ径方向外方に開口する開口部２３が形成される。前記開口部２３は、後軸２ｂの後端（即ち軸筒２の後端）において窓孔２２と連通され、それにより、窓孔２２後端が後方に切り欠かれ後方に開口されている。前記開口部２３を通して、操作体４が取り付けられた状態の筆記体３を、軸筒２内に挿入可能且つ軸筒２内から取り出し可能に構成される。
【００４１】
また、前記後軸２ｂの窓孔２２の相互間の側壁内面には、前後方向に延びるリブよりなる係止壁部（図示せず）が形成され、前記係止壁部に、ペン先３１が突出した際の筆記体３の操作体４の後端が係止される。また、前記後軸２ｂの窓孔２２の相互間の側壁外面には、クリップ２５が設けられる。
【００４２】
（蓋部）
前記後軸２ｂの後端部には、前記開口部２３を開閉自在にする蓋部５が回動自在に設けられる。前記蓋部５の一端部は、クリップ２５基部に、ヒンジ部５１により回動自在に接続される。前記蓋部５は、略前後方向に回動自在となる。前記蓋部５の前面には、当接壁部５２が形成される。前記当接壁部５２に、ペン先没入状態の筆記体３の後端に連結された各々の操作体４の後端が当接される。尚、本発明において、前記当接壁部５２は、蓋部５の前面に形成される構成以外にも、軸筒２（後軸２ｂ）と一体に形成されてもよい。
【００４３】
前記蓋部５の他端部の前面には、凹部または孔部よりなる係合部５３が設けられる。後軸２ｂの後端には、前記係合部５３と係合可能な突部よりなる被係合部２４が設けられる。前記係合部５３の内面には、内向突起が形成され、一方、前記被係合部２４の外面には、前記内向突起と乗り越え係止可能な外向突起が形成される。
【００４４】
（筆記体）
前記各々の筆記体３は、ボールペンレフィルであり、前端にボールが回転可能に抱持されたボールペンチップ（即ちペン先３１）と、該ボールペンチップを前端に備え且つ後端が開口されたインキ収容管３２とからなる。前記インキ収容管３２の内部には、水性ゲルよりなる熱変色性インキと、インキの後端に配置され且つインキの消費に伴い前進する高粘度流体からなる追従体が充填される。
【００４５】
前記ボールペンチップは、前端に回転可能に抱持されたボールを弾発体等により前方に付勢し、前端縁部の内面にボールを密接させる構成が採用される。また、ボールペンチップは、インキ収容管３２の前端開口部に圧入等により直接、取り付けてもよいが、本実施の形態ではペン先ホルダーを介してインキ収容管３２の前端開口部に固着される。
【００４６】
（操作体）
前記各々の筆記体３の後端（即ちインキ収容管３２の後端開口部）には、操作体４が取り付けられる。前記各々の操作体４は、後端部に形成され且つ軸筒２の窓孔２２から外部に突出する操作部４１と、該操作部４１の反対側に設けられる後側突出部４３と、該操作部４１の反対側の後側突出部４３の前方に設けられる前側突出部４２と、前端部に形成され且つインキ収容管３２の後端開口部に嵌入される嵌入部４４と、該嵌入部４４の後方に形成される鍔部４５とを備える。また、前記鍔部４５の前面には、弾発体６の後端が係止される。また、前記操作体４の両方の側面には抜け止め突起４６が形成される。前記抜け止め突起４６は窓孔２２の両方の側壁内面に係合可能である。
【００４７】
前記各々の操作体４は、前記操作部４１、前側突出部４２、後側突出部４３、嵌入部４４、鍔部４５、及び抜け止め突起４６が弾性材料により一体に形成されてなる。前記各々の操作体４は、連結される筆記体３の内部（即ちインキ収容管３２内部）に収容されたインキの色と略同じ色に着色される。具体的には、前記操作体４の各々は、連結される筆記体３のインキ色と略同じ色に着色された弾性を有する合成樹脂の成形体からなる。
【００４８】
（摩擦部）
操作部４１の外面には、摩擦部７が一体に形成される。即ち、前記操作部４１及び摩擦部７は、同一の弾性材料からなる。前記摩擦部７は、径方向外方に向かうに従い外径が小さくなる凸曲面状の表面を備える。前記摩擦部７を備えた操作体４は、開口部２３より交換可能である。また、操作体４とインキ収容管３２とを着脱自在とすることにより、操作体４のみが交換可能となる。
【００４９】
筆記体３のペン先３１が没入状態のとき、その筆記体３に取り付けられた操作体４の後端部は、蓋部５の前面に形成された当接壁部５２に当接される。一方、筆記体３のペン先３１が突出状態のとき、その筆記体３に取り付けられた操作体４の後端部は、軸筒２の内壁に形成された係止壁部に係止される。
【００５０】
ペン先没入状態にある筆記体３の後端に連結された操作体４の前側突出部４２は、その操作体４の操作部４１を前方にスライド操作した際、先にペン先突出状態にある他の筆記体３の後端に連結された操作体４の後側突出部４３と当接され、他の筆記体３のペン先突出状態が解除される。
【００５１】
本実施の形態の多芯式熱変色性筆記具１は、操作部４１の外面に、熱変色性インキの筆跡を摩擦しその際に生じる摩擦熱で該筆跡を熱変色可能な摩擦部７を設けたことにより、摩擦部７を大きく形成でき、熱変色性インキによる大きな筆跡を摩擦部７の摩擦によって迅速に熱変色させることができる。さらに、本実施の形態の多芯式熱変色性筆記具１は、操作体４の外面に弾性材料からなる摩擦部７を設けたことにより、摩擦部７と指とが滑ることを防止でき且つ指に痛みを与えることがなく、操作部４１をスライド操作する際、操作部４１に力を加えやすいため、操作部４１の操作が容易となる。
【００５２】
本実施の形態の多芯式熱変色性筆記具１は、摩擦部７と操作部４１とが一体に形成されることによって、部品点数が減少し、安価に提供でき、且つ、摩擦時に摩擦部７が操作部４１から外れることがない。
【００５３】
本実施の形態の多芯式熱変色性筆記具１は、軸筒２の後端に、前記各々の窓孔２２を後方に開口させる開閉自在の開口部２３を設け、前記開口部２３を介して筆記体３及び操作体４を連結状態で軸筒２内から取り外し可能且つ軸筒２内に挿入可能に構成したことにより、操作体４の操作部４１を軸筒２後端の開口部２３から大きく突出させ、操作体４を直接把持して、操作部４１の摩擦部７による摩擦を行うことができ、摩擦操作が極めて容易となる。
【符号の説明】
【００５４】
１  多芯式熱変色性筆記具
２  軸筒
２ａ  前軸
２ｂ  後軸
２１  前端孔
２２  窓孔
２３  開口部
２４  被係合部
２５  クリップ
３  筆記体
３１  ペン先
３２  インキ収容管
４  操作体
４１  操作部
４１ａ 取付部
４２  前側突出部
４３  後側突出部
４４  嵌入部
４５  鍔部
４６  抜け止め突起
５  蓋部
５１  ヒンジ部
５２  当接壁部
５３  係合部
６  弾発体
７  摩擦部
７１  被取付部
【図１】
2010260219.tif 000003
【図２】
2010260219.tif 000004
【図３】
2010260219.tif 000005
【図４】
2010260219.tif 000006
【図５】
2010260219.tif 000007